(57)【特許請求の範囲】
【請求項１】
水遊び出来る場所において使用される固形体からなる描画材であって、
前記描画材は、石鹸成分（但し、金属石鹸は含まない。）と、けん化剤と、色材とを含有し、
前記石鹸成分１００質量部に対して、前記けん化剤が１５〜１２５質量部、前記色材が０．０３〜９．４質量部の割合である
ことを特徴とする描画材。
【請求項２】
更に洗浄助剤を含有することを特徴とする請求項１の描画材。
【請求項３】
更に界面活性剤を含有することを特徴とする請求項１又は請求項２の描画材。
【請求項４】
更に湿潤剤を含有することを特徴とする請求項１〜請求項３いずれかの描画材。
【請求項５】
石鹸成分は、水に易溶解性で脂肪酸のアルカリ金属塩の群の中から選ばれる一種又は二種以上のものであることを特徴とする請求項１〜請求項４いずれかの描画材。
【請求項６】
けん化剤は、有機アミンおよび水酸化アルカリの群の中から選ばれる一種又は二種以上のものであることを特徴とする請求項１〜請求項４いずれかの描画材。
【請求項７】
洗浄助剤は、２５℃で固形の脂肪酸の群の中から選ばれる一種又は二種以上のものであることを特徴とする請求項２〜請求項４いずれかの描画材。
【請求項８】
界面活性剤は、アニオン系界面活性剤および両性界面活性剤の群の中から選ばれる一種又は二種以上のものであることを特徴とする請求項３又は請求項４の描画材。
【請求項９】
湿潤剤は、一価アルコール、多価アルコール、糖アルコール、及び糖類の群の中から選ばれる一種又は二種以上のものであることを特徴とする請求項４の描画材。
【発明の詳細な説明】
【技術分野】
【０００１】
本発明は描画材、特に風呂場などの水遊び出来る場所において使用される描画材に関する。
【背景技術】
【０００２】
従来より各種の描画材が提案されている。
例えば、ワックス、油脂および顔料、またはこれらに金属石鹸を加えたものに、酢酸ビニル、ポリエチレン系などの樹脂を加えて加熱し、顔料を他の材料の溶融物に分散させ、これを所定形状に成形して冷却・固化させたことを特徴とするクレオンが提案（特開昭４９−１２７７２８号公報）されている。
【０００３】
又、重量比において全量の少なくとも数十％以上の金属石鹸を主成分として含み、これに所望の顔料を混合したことを特徴とする白板用筆記具が提案（特開昭５０−１０２４２７号公報）されている。
【０００４】
又、重量比において全量の少なくとも数十％以上の金属石鹸を主成分として含み、これに所望の顔料を溶解した軟化剤をこれに添加したことを特徴とする白板用筆記具が提案（特開昭５１−９９３０号公報）されている。
【０００５】
又、染料キャリヤーが練り込まれていると共に、ケーシング内に収容された鉛筆材料を備えているマーキング鉛筆であって、その鉛筆材料が、少なくとも一種の水溶性金属石けんと、モノサッカライド、オリゴサッカライドおよびそれらから還元によって誘導されたポリオールの中の少なくとも一種を構造形成成分として含み、それが鉛筆材料中の水分と共にゲル状構造を形成していることを特徴とするマーキング鉛筆が提案（特開平６−３３０１０号公報）されている。
【特許文献１】特開昭４９−１２７７２８号公報
【特許文献２】特開昭５０−１０２４２７号公報
【特許文献３】特開昭５１−９９３０号公報
【特許文献４】特開平６−３３０１０号公報
【発明の開示】
【発明が解決しようとする課題】
【０００６】
ところで、特開昭４９−１２７７２８号公報に開示のクレオン、例えば１４０重量部のパラフィン、１６０重量部の硬化油、１４５重量部の顔料、５５重量部の酢酸ビニル樹脂、３９０重量部の金属石鹸、１１０重量部のマイクロワックスを１００℃〜１２０℃に加熱し、顔料を均一に分散させ、そして冷却固化して丸棒状の描画材（クレオン）を用いて、例えば風呂場の床面などに絵を描き、この後で風呂の水で洗い流して消そうとした場合、簡単には洗い流すことが出来ないものであった。
【０００７】
尚、特開昭４９−１２７７２８号公報には、そもそも、水遊び場所で描いた後、それを水で流して消そうと言った発想が皆無である。従って、特開昭４９−１２７７２８号公報に開示のクレオンを、水遊び出来る場所において、消すことを前提としての絵描きに使用すると言った発想が存在しないのは、これ、また、当然なことである。
【０００８】
又、特開昭５０−１０２４２７号公報に開示の白板用筆記具、例えば４２重量部の紺青と４２重量部のステアリン酸亜鉛（金属石鹸）と１６重量部のｎ−オクチルアルコールとからなる白板用筆記具を用いて、又、特開昭５１−９９３０号公報に開示の白板用筆記具、例えば８０重量部のステアリン酸亜鉛（金属石鹸）と２重量部のブチルカルビトールと１５重量部のオレイン酸と３重量部のオイル・ブルーとからなる白板用筆記具を用いて、例えば風呂場の床面などに絵を描き、この後で風呂の水で洗い流して消そうとした場合、簡単には洗い流すことが出来ないものであった。
【０００９】
尚、特開昭５０−１０２４２７号公報や特開昭５１−９９３０号公報の筆記具は、白板用筆記具と言う発明の名称からも理解される通り、そもそも、水遊び場所で描いた後、それを水で流して消そうと言った発想が皆無である。従って、特開昭５０−１０２４２７号公報や特開昭５１−９９３０号公報に開示の筆記具を、水遊び出来る場所において、消すことを前提としての絵描きに使用すると言った発想が存在しないのは、これ、また、当然なことである。
【００１０】
特開平６−３３０１０号公報にも、水遊び場所で描いた後、それを水で流して消そうと言った発想が皆無である。すなわち、特開平６−３３０１０号公報に開示のマーキング鉛筆を、水遊び出来る場所において、洗い流すことを前提としての絵描きに使用すると言った発想が存在しない。と言うよりも、特開平６−３３０１０号公報における記載、特に、段落番号［００２０］の記載「本発明のマーキング鉛筆で書かれたマークの接着性を更に良くし、かつ乾燥時間を短くするために、本発明の望ましい実施例においては、鉛筆材料は、追加の構造形成成分として、脂肪質状物質、ワックス、ワックス状物質等の脂肪質物質を含んでいる。このような脂肪質物質を添加することによって、マーキングが、特にそれが吸収性が全くないか極めて低い表面になされたときに、拭き取りに耐えるようになるまでの時間を短くすることができる。」からも判る通り、洗い流して消すことを前提としたマーキング鉛筆では無い。
【００１１】
従って、本発明が解決しようとする課題は、消すことが簡単な描画具を提供することである。特に、風呂場などの水遊びが出来る場所において、その壁や床などに文字や線などを描くことが出来、そしてそのような作業が終わった後では、例えば水などを流すことで、簡単に、消すことが出来る描画具を提供することである。
【課題を解決するための手段】
【００１２】
前記の課題は、水遊び出来る場所において使用される固形体からなる描画材であって、
前記描画材は、石鹸成分（但し、金属石鹸は含まない。）と、けん化剤と、色材とを含有し、
前記石鹸成分１００質量部に対して、前記けん化剤が１５〜１２５質量部、前記色材が０．０３〜９．４質量部の割合である
ことを特徴とする描画材によって解決される。
【００１３】
又、更に洗浄助剤を含有することを特徴とする上記の描画材によって解決される。
【００１４】
又、更に界面活性剤を含有することを特徴とする上記の描画材によって解決される。
【００１５】
又、更に湿潤剤を含有することを特徴とする上記の描画材によって解決される。
【００１６】
本発明において、石鹸成分は、好ましくは、特に、水に易溶解性で脂肪酸のアルカリ金属塩の群の中から選ばれる一種又は二種以上のものである。そして、所謂、金属石鹸と言われる水溶性に劣るものは用いられない。特に、好ましい石鹸成分はＲＣＯＯＮａ，ＲＣＯＯＫで表される化合物である。
【００１７】
本発明において、けん化剤は、好ましくは、トリエタノールアミン、ジエタノールアミン等の有機アミン、及びＭ（Ｍ＝Ｎａ，Ｋ等のアルカリ金属）ＯＨ等の水酸化アルカリの群の中から選ばれる一種又は二種以上のものである。
【００１８】
本発明において、洗浄助剤は、好ましくは、２５℃で固形の脂肪酸の群の中から選ばれる一種又は二種以上のものである。例えば、ラウリン酸、ステアリン酸、ミリスチン酸、パルミチン酸などの飽和脂肪酸や、オレイン酸、リノール酸などの不飽和脂肪酸などが挙げられる。
【００１９】
本発明において、界面活性剤は、好ましくは、アニオン系界面活性剤および両性界面活性剤の群の中から選ばれる一種又は二種以上のものである。
【００２０】
本発明において、湿潤剤は、好ましくは、一価アルコール、多価アルコール、糖アルコール、及び糖類の群の中から選ばれる一種又は二種以上のものである。例えば、グリセリン、ジグリセリン、プロピレングリコール、ジプロピレングリコール、エタノール、ソルビトール、サッカロース、ブドウ糖、果糖などが挙げられる。
【００２１】
本発明において、各成分の好ましい割合は次の通りである。すなわち、石鹸成分１００質量部に対して、けん化剤が１５〜１２５質量部（より好ましくは、３１〜９４質量部）、染料や顔料などの着色用の色材が０．０３〜９．４質量部（より好ましくは、０．０９〜６．３質量部）である。洗浄助剤が用いられる場合、石鹸成分１００質量部に対して、洗浄助剤は９〜６３質量部（より好ましくは、１５〜３２質量部）である。界面活性剤が用いられる場合、石鹸成分１００質量部に対して、界面活性剤は３〜６３質量部（より好ましくは、９〜３２質量部）である。湿潤剤が用いられる場合、石鹸成分１００質量部に対して、湿潤剤は１８〜１２５質量部（より好ましくは、３０〜９４質量部）である。
【００２２】
そして、本発明の描画材は、特に、風呂場などの水遊びが出来る場所において使用され、例えば風呂場の壁や床などに文字や線などを描くことが出来、そしてそのような作業が終わった後では、例えば水などを流して拭き取ることで、簡単に、消すことが出来る描画具である。
【発明の効果】
【００２３】
少なくとも石鹸成分とけん化剤と色材とを含み、そして棒状のような固形体からなる本発明の描画具を用いて描いた絵などは、含まれている石鹸成分の作用により、水を掛けることで、容易に洗い落とすことが出来る。従って、風呂場のような場所では、子供の情操教育に非常に役立つのみならず、その後始末が簡単なので、親も子供と一緒になって楽しく遊ぶことが出来、子供と親とのスキンシップも高まり、家庭教育上も好ましい。
【００２４】
ところで、石鹸成分では無く、金属石鹸を用いた場合には、石鹸成分を用いた場合のような後始末の容易性は得られない。この後始末の容易性が本発明の大きな特長の一つである。すなわち、描画性と後始末性が共に優れていると言うのが本発明の大きな特長である。
【００２５】
描画性に優れていても、後始末性が劣るのでは、子供が落書きした後、それを消し去る大変さ故に、子供に落書き禁止を命じてしまい、子供の積極性を摘み取ってしまう結果となる恐れが有る。
【００２６】
後始末が簡単であっても、描画性に劣るのでは、これ、また、情操教育に劣ったものとなってしまい、利用されなくなってしまう。
【００２７】
すなわち、上記二つの特長を共に備えさせたことから、大きな意味合いが生まれるのである。
【００２８】
本発明では石鹸成分を用いた点に大きな特徴が有る。しかし、石鹸成分を用いたのみならず、けん化剤をも併用した点にも大きな特徴が有る。なぜならば、石鹸成分のみでは、洗浄力が不足する為、けん化剤をも併用することによって、更に大きな洗浄力を得るようにしたのである。これにより、描画が終わって消し去る場合の作業性に優れている。しかも、描画性が低下することも起きない。
【００２９】
本発明では好ましくは飽和脂肪酸や不飽和脂肪酸などの洗浄助剤（固化剤）を含有させた。この洗浄助剤（固化剤）の含有により、洗浄能力が更に高まると共に、描画材が適度な固さを持ち、その結果描画性も高まる。
【００３０】
本発明では好ましくは界面活性剤を含有させた。この界面活性剤の含有により、洗浄能力が更に高まる。
【００３１】
本発明では好ましくはグリセリン等の湿潤剤（透明化剤）を含有させた。この湿潤剤（透明化剤）の含有により、描画材が適度な固さを持ち、その結果描画性が高まる。又、透明性も高まり、装飾感に良いものとなる。
【００３２】
そして、上記の各成分を上記した特定割合の配合にした場合、描画性と後始末性が一段と優れたものであった。
【発明を実施するための最良の形態】
【００３３】
［実施例１］
石鹸成分（炭素数１２及び１８の飽和脂肪酸Ｎａ塩）  １００質量部
トリエタノールアミン                                ６３質量部
グリセリン                                          ３２質量部
サッカロース                                        ２５質量部
ステアリン酸                                        ２５質量部
アニオン系界面活性剤
（ポリオキシエチレンアルキルエーテル硫酸ナトリウム）１５質量部
着色材（無機顔料）                                ０．９質量部
水                                                  ２５質量部
上記各成分を混合し、そして混練した後、図１に示す如くの棒状に成形し、描画材１を得た。
【００３４】
［実施例２］
石鹸成分（炭素数１４及び１６の飽和脂肪酸Ｎａ塩）  １００質量部
トリエタノールアミン                                ４５質量部
グリセリン                                          ４５質量部
サッカロース                                        ２５質量部
ステアリン酸                                        １８質量部
アニオン系界面活性剤
（ラウロイルメチル−β−アラニンナトリウム）    ２２質量部
着色材（無機顔料）                                ０．９質量部
水                                                  ２２質量部
上記各成分を混合し、そして混練した後、図１に示す如くの棒状に成形し、描画材１を得た。
【００３５】
［実施例３］
石鹸成分（炭素数１２及び１６の飽和脂肪酸Ｎａ塩）  １００質量部
トリエタノールアミン                                ６３質量部
グリセリン                                          ３２質量部
サッカロース                                        ３２質量部
ステアリン酸                                        １８質量部
アニオン系界面活性剤
（ポリオキシエチレンラウリルエーテル硫酸ナトリウム）１５質量部
着色材（無機顔料）                                ３．２質量部
水                                                  ２５質量部
上記各成分を混合し、そして混練した後、図１に示す如くの棒状に成形し、描画材１を得た。
【００３６】
［実施例４］
石鹸成分（炭素数１２及び１８の飽和脂肪酸Ｎａ塩）  １００質量部
ジエタノールアミン                                  ７８質量部
プロピレングリコール                                ２５質量部
ブドウ糖                                            １５質量部
ミリスチン酸                                        ２５質量部
両性界面活性剤
（ラウリン酸アミドプロピルベタイン）                ２５質量部
着色材（無機顔料）                                ３．２質量部
水                                                  １５質量部
上記各成分を混合し、そして混練した後、図１に示す如くの棒状に成形し、描画材１を得た。
【００３７】
［実施例５］
石鹸成分（炭素数１２及び１４の飽和脂肪酸Ｎａ塩）  １００質量部
水酸化ナトリウム                                    ７８質量部
エタノール                                          １８質量部
ソルビトール                                        ２５質量部
パルミチン酸                                        ２５質量部
アニオン系界面活性剤
（炭素数８〜１６のアルキルグルコシド）          ２２質量部
着色材（有機染料）                                ０．３質量部
水                                                  １５質量部
上記各成分を混合し、そして混練した後、図１に示す如くの棒状に成形し、描画材１を得た。
【００３８】
［比較例１］
実施例１において、石鹸成分の代わりに金属石鹸（炭素数１２及び１８の飽和脂肪酸のＣａ塩）を用いた以外は同様に行い、比較例１の描画材とした。
【００３９】
［比較例２］
実施例１において、トリエタノールアミンを用いなかった以外は同様に行い、比較例２の描画材とした。
【００４０】
［特性］
上記各例で得た描画材について、その描き易さ、及び洗い流し易さを調べたので、その結果を表−１に示す。
表−１
洗い流し易さ        描き易さ
実施例１                ○                  ○
実施例２                ○                  ○
実施例３                ○                  ○
実施例４                ○                  ○
実施例５                ○                  ○
比較例１                ×                  ×
比較例２                ×                  △
＊洗い流し易さにおける
○印は「簡単に流し落とせた」
×印は「コンクリート等の多孔質材表面に付いた色が落ちない」
＊描き易さにおける
○印は「問題が無い」
×印は「石鹸のカスが残り、スムーズに描けない」
△印は「滑りが悪く、スムーズに描けない」
この表−１から判る通り、本発明になる描画材は、適度な硬さと適度な軟らかさを備えていて、非常に描き易く、又、描いた後では、水を掛けて簡単に洗い流して消すことが出来た。
【００４１】
従って、風呂場のような水遊びが出来る場所では、その後始末が非常に簡単なので、子供に描く楽しみを積極的に勧めることが出来、かつ、子供と一緒になって親も楽しく遊ぶことが出来、子供と親とのスキンシップも高まり、情操教育上・家庭教育上も好ましい。
【００４２】
これに対して、石鹸成分の代わりに金属石鹸を用いた比較例１のものでは、簡単に洗い流すことが出来ず、それだけ、どうしても子供に描くことを薦め難く、又、石鹸のカスが残り、スムーズに描けず、本発明のような特長が奏されない。
【００４３】
又、けん化剤が用いられなかった比較例２のものでも、簡単に洗い流すことが出来ず、それだけ、どうしても子供に描くことを薦め難く、又、滑りが悪く、スムーズに描けず、本発明のような特長が奏されない。
【図面の簡単な説明】
【００４４】
【図１】描画材の概略図
【符号の説明】
【００４５】
１        描画材
代  理  人  宇  高  克  己
【要約】
【課題】  風呂場などの水遊びが出来る場所において、その壁や床などに文字や線などを描くことが出来、そしてそのような作業が終わった後では、例えば水などを流して擦り取ることで、簡単に、消すことが出来る描画具を提供することである。
【解決手段】  石鹸成分と、けん化剤と、色材とを含有し、固形体からなる描画材。
【図１】
0003669506.tif 000002